(57)【要約】【課題】発振周波数帯域がそれぞれ互いに異なる複数のＶＣＯを備えつつ、発振信号の周波数のアンロック状態を短時間にすることが可能なＰＬＬ回路を提供することを目的とする。【解決手段】ＶＣＯ２２−１〜２２−８と、ＶＣＯ出力回路１６と、プログラマブル分周器１４と、位相比較器１７と、チャージポンプ２０と、ループフィルタ２１と、ＶＣＯ２２−１〜２２−８からそれぞれ出力される発振信号が順次選択されるようにＶＣＯ選択信号を出力するとともに、ＶｔｕｎｅがＶＣＯ選択判定用の所定範囲に入ると、ＶＣＯ選択信号を固定するＶＣＯ選択回路１５とを備えてＰＬＬ回路１１を構成し、ＶｔｕｎｅがＶＣＯ切り替え判定用の所定範囲に入らなくなると、ＶｔｕｎｅがＶＣＯ選択判定用の所定範囲に入るように、ＶＣＯ選択信号を切り替える。【選択図】図１
2009232072.tif 000002
【特許請求の範囲】
【請求項１】
それぞれ互いに異なる発振周波数帯域を有し、ＶＣＯ制御電圧に応じた周波数で発振する複数のＶＣＯと、
前記複数のＶＣＯが順次選択されるようにＶＣＯ選択信号を出力するとともに、前記ＶＣＯ制御電圧のデジタル変換値がＶＣＯ選択判定用の所定範囲に入ると前記ＶＣＯ選択信号を固定するＶＣＯ選択回路と、
前記ＶＣＯ選択信号により選択されたＶＣＯの発振信号を出力するＶＣＯ出力回路と、
前記ＶＣＯ出力回路から出力される前記選択されたＶＣＯの発振信号を、分周データで決まる分周比で分周するプログラマブル分周回路と、
前記プログラマブル分周回路から出力される分周された信号と基準クロック信号との位相を比較し、その位相差に応じた位相差信号を出力する位相比較器と、
前記位相比較器から出力される位相差信号に応じた電流を出力するチャージポンプと、
前記チャージポンプから出力される電流に応じた前記ＶＣＯ制御電圧を出力するループフィルタと、
を備え、
前記ＶＣＯ制御電圧のデジタル変換値がＶＣＯ切り替え判定用の所定範囲から外れた場合、前記ＶＣＯ制御電圧のデジタル変換値が前記ＶＣＯ選択判定用の所定範囲に入るように、前記ＶＣＯ選択信号を切り替える構成とした、
ことを特徴とするＰＬＬ回路。
【請求項２】
請求項１に記載のＰＬＬ回路であって、
前記ＶＣＯ制御電圧のデジタル変換値が前記ＶＣＯ切り替え判定用の所定範囲から外れた場合、前記ＶＣＯ制御電圧のデジタル変換値が前記ＶＣＯ選択判定用の所定範囲に入るまで、前記ＶＣＯ選択回路から出力される前記ＶＣＯ選択信号を切り替え、前記ＶＣＯ出力回路により出力されているＶＣＯの発振信号の発振周波数帯域よりも一段高い発振周波数帯域を有するＶＣＯ又は一段低い発振周波数帯域を有するＶＣＯに切り替える構成とした、
ことを特徴とするＰＬＬ回路。
【請求項３】
請求項１に記載のＰＬＬ回路であって、
前記ＶＣＯ制御電圧のデジタル変換値が前記ＶＣＯ切り替え判定用の所定範囲から外れた場合、前記ＶＣＯ選択回路を再度動作させて前記ＶＣＯ選択信号を切り替える構成とした、
ことを特徴とするＰＬＬ回路。
【発明の詳細な説明】
【技術分野】
【０００１】
本発明は、広帯域の発振周波数を確保するため、それぞれ互いに異なる周波数範囲で発振する複数のＶＣＯを備えるＰＬＬ回路に関する。
【背景技術】
【０００２】
テレビ等の広い発振周波数帯域の信号を受信するチューナでは、その広い発振周波数範囲を全てカバーするために発振周波数帯域がそれぞれ互いに異なる複数のＶＣＯ（Ｖｏｌｔａｇｅ  Ｃｏｎｔｒｏｌｌｅｄ  Ｏｓｃｉｌｌａｔｏｒ）が備えられている。
【０００３】
また、上述のようなチューナに限らず、一般に、チューナには、受信信号から映像信号や音声信号等を取り出すために受信信号と乗算される発振信号の周波数を、ユーザが受信を希望する放送局の周波数にロックするためのＰＬＬ回路が備えられている。
【０００４】
このＰＬＬ回路には、発振信号の周波数がロック状態であるか、アンロック状態であるかを示すロック・アンロック信号を出力するものがあるが、このロック・アンロック信号は、発振信号の周波数のロックが外れた後にアンロック状態を示すため、発振信号の周波数がロック状態からアンロック状態になる際、実際にロック・アンロック信号がアンロック状態を示すまでに遅れが生じてしまうという問題がある。
【０００５】
そこで、例えば、発振信号の周波数を制御するためにＶＣＯに入力される制御電圧が所定範囲に入っているとき、発振信号の周波数がロック状態であると判断し、上記制御電圧が所定範囲に入っていないとき、発振信号の周波数がアンロック状態であると判断するＰＬＬ回路がある（例えば、特許文献１参照）。
【０００６】
しかしながら、上述の技術は、発振信号の周波数のロックが外れそうになることを判断することができるが、アンロック状態にさせないための対策がなく、アンロック状態になる時間を短くすることができない。
【特許文献１】特開平５−２２１３１号公報
【発明の開示】
【発明が解決しようとする課題】
【０００７】
そこで、本発明では、発振周波数帯域がそれぞれ互いに異なる複数のＶＣＯを備えつつ、発振信号の周波数がアンロック状態になる時間を短くすることが可能なＰＬＬ回路を提供することを目的とする。
【課題を解決するための手段】
【０００８】
上記の課題を解決するために本発明では、以下のような構成を採用した。
すなわち、本発明のＰＬＬ回路は、それぞれ互いに異なる発振周波数帯域を有し、ＶＣＯ制御電圧に応じた周波数で発振する複数のＶＣＯと、前記複数のＶＣＯが順次選択されるようにＶＣＯ選択信号を出力するとともに、前記ＶＣＯ制御電圧のデジタル変換値がＶＣＯ選択判定用の所定範囲に入ると前記ＶＣＯ選択信号を固定するＶＣＯ選択回路と、前記ＶＣＯ選択信号により選択されたＶＣＯの発振信号を出力するＶＣＯ出力回路と、前記ＶＣＯ出力回路から出力される前記選択されたＶＣＯの発振信号を、分周データで決まる分周比で分周するプログラマブル分周回路と、前記プログラマブル分周回路から出力される分周された信号と基準クロック信号との位相を比較し、その位相差に応じた位相差信号を出力する位相比較器と、前記位相比較器から出力される位相差信号に応じた電流を出力するチャージポンプと、前記チャージポンプから出力される電流に応じた前記ＶＣＯ制御電圧を出力するループフィルタとを備え、前記ＶＣＯ制御電圧のデジタル変換値がＶＣＯ切り替え判定用の所定範囲から外れた場合、前記ＶＣＯ制御電圧のデジタル変換値が前記ＶＣＯ選択判定用の所定範囲に入るように、前記ＶＣＯ選択信号を切り替える構成とした。
【０００９】
これにより、上記ＶＣＯ切り替え判定用の所定範囲を各ＶＣＯが安定して動作することが可能な範囲に設定することで、発振信号の周波数のロックが外れそうになることを判断することができるので、発振信号の周波数のロックが外れそうになると、ロックが外れないようにＶＣＯ選択信号を切り替えることができる。そのため、発振信号の周波数がアンロック状態になる時間をＶＣＯの切り替え時のみの短い時間にすることができる。
【００１０】
また、上記ＰＬＬ回路は、前記ＶＣＯ制御電圧のデジタル変換値が前記ＶＣＯ切り替え判定用の所定範囲から外れた場合、前記ＶＣＯ制御電圧のデジタル変換値が前記ＶＣＯ選択判定用の所定範囲に入るまで、前記ＶＣＯ選択回路から出力される前記ＶＣＯ選択信号を切り替え、前記ＶＣＯ出力回路により出力されているＶＣＯの発振信号の発振周波数帯域よりも一段高い発振周波数帯域を有するＶＣＯ又は一段低い発振周波数帯域を有するＶＣＯに切り替えるように構成してもよい。
【００１１】
また、上記ＰＬＬ回路は、前記ＶＣＯ制御電圧のデジタル変換値が前記ＶＣＯ切り替え判定用の所定範囲から外れた場合、前記ＶＣＯ選択回路を再度動作させて前記ＶＣＯ選択信号を切り替えるように構成してもよい。
【発明の効果】
【００１２】
本発明によれば、発振周波数帯域がそれぞれ互いに異なる複数のＶＣＯを備えるＰＬＬ回路において、発振信号の周波数がアンロック状態になる時間を短くすることができる。
【発明を実施するための最良の形態】
【００１３】
以下、図面を用いて本発明の実施形態を説明する。
図１は、本発明の実施形態のＰＬＬ回路を示す図である。
図１に示すＰＬＬ回路１１は、インターフェイス回路１３と、プログラマブル分周器１４と、ＶＣＯ選択回路１５と、ＶＣＯ出力回路１６と、位相比較器１７と、基準クロック分周器１８と、基準クロック発生器１９と、チャージポンプ２０と、ループフィルタ２１と、ＶＣＯ２２−１〜２２−８と、比較器２３と、基準電圧回路２４とを備えて構成されている。
【００１４】
制御回路（プロセッサ）１２は、ユーザが受信を希望する放送局の周波数（目的の周波数）に対応する分周データ（プログラマブル分周器１４の分周比を指定するデータ）を、インターフェイス回路１３に出力する。
【００１５】
上記インターフェイス回路１３は、制御回路１２から受信した分周データをプログラマブル分周器１４に出力する。
上記プログラマブル分周器１４は、ＶＣＯ出力回路１６から出力される発振信号を、分周データで指定される分周比で分周して位相比較器１７に出力する。
【００１６】
上記位相比較器１７は、プログラマブル分周器１４から出力される分周された信号と基準クロック分周器１８から出力される基準クロック信号との位相を比較し、その位相差に応じた位相差信号をチャージポンプ２０に出力する。
【００１７】
なお、プログラマブル分周器１４の前段に別の分周器を設け、ＶＣＯ出力回路１６から出力される発振信号をその別の分周器で分周した後、プログラマブル分周器１４で分周してもよい。このように、分周器を複数段使用することにより、ＶＣＯ出力回路１６から出力される発振信号の周波数帯域が高い場合でもプログラマブル分周器１４の分周比をそれほど大きくする必要がなくなる。
【００１８】
上記基準クロック発生器１９は、水晶振動子等から基準クロック信号を生成する回路である。
上記基準クロック分周器１８は、基準クロック発生器１９から出力される基準クロック信号を、予め決められた分周比で分周して所定周波数の基準クロック信号を出力する。
【００１９】
上記チャージポンプ２０は、位相比較器１７から出力される位相差信号に応じた電流をループフィルタ２１に出力する。
上記ループフィルタ２１は、チャージポンプ２０から出力される電流を平滑してＶＣＯ２２−１〜２２−８からそれぞれ出力される発振信号の周波数を制御するためのＶＣＯ制御電圧を出力する。
【００２０】
上記ＶＣＯ２２−１〜２２−８は、それぞれ、互いに異なる発振周波数帯域で発振信号を出力するとともに、ループフィルタ２１から出力されるＶＣＯ制御電圧に応じた周波数の発振信号を出力する。
【００２１】
上記比較器２３は、ループフィルタ２１から出力されるアナログのＶＣＯ制御電圧と基準電圧回路２４から出力される基準電圧とを比較してアナログのＶＣＯ制御電圧をデジタル変換値Ｖｔｕｎｅに変換する。すなわち、比較器２３及び基準電圧回路２４は、Ａ／Ｄ変換回路に相当する。
【００２２】
上記ＶＣＯ選択回路１５は、制御回路１２から出される指示に基づいて、比較器２３から出力されるＶＣＯ制御電圧のデジタル変換値（以下、Ｖｔｕｎｅと記載）が、Ｖｔｕｎｅ−発振周波数の特性におけるＶｔｕｎｅのＶＣＯ選択判定用の所定範囲（基準値ａ≦Ｖｔｕｎｅ≦基準値ｂ：ＶＣＯ選択を判定するための範囲）に入るか否かを、ＶＣＯ２２−１からＶＣＯ２２−８まで順番に判断していき、Ｖｔｕｎｅが所定範囲に入ると、その判断したＶＣＯ２２−ｎから出力される発振信号が選択されるようにＶＣＯ選択信号を生成し出力する。
【００２３】
上記ＶＣＯ出力回路１６は、ＶＣＯ選択回路１５から出力されるＶＣＯ選択信号に基づいて、ＶＣＯ２２−１〜２２−８からそれぞれ出力される発振信号のうちの１つを選択してプログラマブル分周器１４及び他の回路（例えば、乗算器等）に出力する。
【００２４】
図２は、ＶＣＯ２２−１〜２２−８におけるそれぞれのＶｔｕｎｅ−発振周波数の特性の一例を示す図である。
例えば、図２に示すように、ユーザが受信を希望する放送局の周波数がｘである場合、始め、ＶＣＯ２２−１から出力される発振信号に対応するＶｔｕｎｅはＶＤＤ（Ｖｔｕｎｅ＞ｂ）になり、ＶＣＯ２２−２から出力される発振信号が選択される。次に、ＶＣＯ２２−２から出力される発振信号に対応するＶｔｕｎｅもＶＤＤ（Ｖｔｕｎｅ＞ｂ）になり、ＶＣＯ２２−３から出力される発振信号が選択される。そして、ＶＣＯ２２−３から出力される発振信号に対応するＶｔｕｎｅがＶＣＯ選択判定用の所定範囲に入り、ＶＣＯ２２−３から出力される発振信号が固定される。
【００２５】
また、制御回路１２は、インターフェイス回路１３を介して読み取ったＶｔｕｎｅがＶＣＯ切り替え判定用の所定範囲（基準値Ａ≦Ｖｔｕｎｅ≦基準値Ｂ：VCOの切り替えを判定するための範囲）に入っているか否かを判断しており、ＶｔｕｎｅがＶＣＯ切り替え判定用の所定範囲に入らなくなると、ＶｔｕｎｅがＶＣＯ選択判定用の所定範囲に入るようにインターフェイス回路１３を介してＶＣＯ選択回路１５にＶＣＯ選択信号の切替指示を出す。
【００２６】
図３は、このときの制御回路１２の動作を説明するためのフローチャートである。
まず、制御回路１２は、インターフェイス回路１３を介してＶＣＯ選択回路１５で生成されるＶＣＯ選択信号を読み取る（Ｓ１）。
【００２７】
次に、制御回路１２は、インターフェイス回路１３を介して比較器２３からＶＣＯ選択回路１５に出力されるＶｔｕｎｅを読み取る（Ｓ２）。
次に、制御回路１２は、Ｓ２で読み取ったＶｔｕｎｅがＶＣＯ切り替え判定用の所定範囲に入るか否かを判断する（Ｓ３）。
【００２８】
ＶｔｕｎｅがＶＣＯ切り替え判定用の所定範囲に入ると判断した場合（Ｓ３がＹｅｓ）、制御回路１２は、一定時間待った後（Ｓ４）、Ｓ２に戻る。
一方、ＶｔｕｎｅがＶＣＯ切り替え判定用の所定範囲に入らないと判断した場合（Ｓ３がＮｏ）、制御回路１２は、Ｖｔｕｎｅが基準値Ａより小さいか（Ｖｔｕｎｅ＜Ａ）否かを判断する（Ｓ５）。
【００２９】
Ｖｔｕｎｅが基準値Ａより小さい（Ｖｔｕｎｅ＜Ａ）と判断した場合（Ｓ５がＹｅｓ）、制御回路１２は、Ｓ１で読み取ったＶＣＯ選択信号により選択される発振信号を出力するＶＣＯ２２−ｎの発振周波数帯域よりも一段低い発振周波数帯域のＶＣＯ２２−（ｎ−１）から出力される発振信号が選択されるように、Ｓ１で読み取ったＶＣＯ選択信号を設定する（Ｓ６）。
【００３０】
例えば、Ｓ１で読み取ったＶＣＯ選択信号により選択される発振信号を出力するＶＣＯ２２−３のＶｔｕｎｅ−発振周波数の特性が図４（ａ）に示す破線のように変わり、Ｖｔｕｎｅが基準値Ａより小さく（Ｖｔｕｎｅ＜Ａ）なってしまった場合、制御回路１２は、ＶＣＯ２２−３の発振周波数帯域よりも一段低い発振周波数帯域のＶＣＯ２２−２が選択されるように、Ｓ１で読み取ったＶＣＯ選択信号を設定する。
【００３１】
なお、Ｓ６においてＳ１で読み取ったＶＣＯ選択信号がＶＣＯ２２−１から出力される発振信号（最下位の発振信号）を選択するものである場合、制御回路１２の動作を終了させる。
【００３２】
一方、Ｖｔｕｎｅが基準値Ａより小さくないと判断した場合（Ｓ５がＮｏ）、即ち、Ｖｔｕｎｅが基準値Bより大きい（Ｖｔｕｎｅ＞Ｂ）と判断した場合は、制御回路１２は、Ｓ１で読み取ったＶＣＯ選択信号により選択される発振信号を出力するＶＣＯ２２−ｎの発振周波数帯域よりも一段高い発振周波数帯域のＶＣＯ２２−（ｎ＋１）から出力される発振信号が選択されるように、Ｓ１で読み取ったＶＣＯ選択信号を設定する（Ｓ７）。
【００３３】
例えば、Ｓ１で読み取ったＶＣＯ選択信号により選択される発振信号を出力するＶＣＯ２２−３のＶｔｕｎｅ−発振周波数の特性が図４（ｂ）に示す破線のように変わり、Ｖｔｕｎｅが基準値Ｂより大きく（Ｖｔｕｎｅ＞Ｂ）なってしまった場合、制御回路１２は、ＶＣＯ２２−３の発振周波数帯域よりも一段高い発振周波数帯域のＶＣＯ２２−４から出力される発振信号が選択されるように、Ｓ１で読み取ったＶＣＯ選択信号を設定する。
【００３４】
なお、Ｓ７においてＳ１で読み取ったＶＣＯ選択信号がＶＣＯ２２−８から出力される発振信号（最上位の発振信号）を選択するものである場合、制御回路１２の動作を終了させる。
【００３５】
次に、制御回路１２は、「インターフェイス回路１３を介してＶＣＯ選択回路１５が自動でＶＣＯ選択信号を切り替えるモード」から「インターフェイス回路１３を介してＶＣＯ選択回路１５にＶＣＯ選択信号の切替指示を出しマニュアルでＶＣＯ選択信号を切り替えるモード」に変更する（Ｓ８）。
【００３６】
次に、制御回路１２は、Ｓ６又はＳ７で設定したＶＣＯ選択信号に切り替える旨の指示をインターフェイス回路１３を介してＶＣＯ選択回路１５に出し（Ｓ９）、所定時間待った後（Ｓ１０）、インターフェイス回路１３を介して比較器２３からＶＣＯ選択回路１５に出力されるＶｔｕｎｅを読み取る（Ｓ１１）。
【００３７】
次に、制御回路１２は、Ｓ１１で読み取ったＶｔｕｎｅがＶＣＯ選択判定用の所定範囲に入るか否かを判断する（Ｓ１２）。
ＶｔｕｎｅがＶＣＯ選択判定用の所定範囲に入ると判断した場合（Ｓ１２がＹｅｓ）、制御回路１２は、「インターフェイス回路１３を介してＶＣＯ選択回路１５にＶＣＯ選択信号の切替指示を出しマニュアルでＶＣＯ選択信号を切り替えるモード」から「インターフェイス回路１３を介してＶＣＯ選択信号が自動でＶＣＯ選択信号を切り替えるモード」に変更し（Ｓ１３）、終了する。
【００３８】
一方、ＶｔｕｎｅがＶＣＯ選択判定用の所定範囲に入らないと判断した場合（Ｓ１２がＮｏ）、制御回路１２は、Ｖｔｕｎｅが基準値ａより小さい（Ｖｔｕｎｅ＜ａ）か否かを判断する（Ｓ１４）。
【００３９】
Ｖｔｕｎｅが基準値ａより小さい（Ｖｔｕｎｅ＜ａ）と判断した場合（Ｓ１４がＹｅｓ）、制御回路１２は、Ｓ６又はＳ７で設定したＶＣＯ選択信号により選択される発振信号を出力するＶＣＯ２２−ｎの発振周波数帯域よりも一段低い発振周波数帯域のＶＣＯ２２−（ｎ−１）から出力される発振信号が選択されるようにＳ６又はＳ７で設定したＶＣＯ選択信号を再設定する（Ｓ１５）。
【００４０】
一方、Ｖｔｕｎｅが基準値ａより小さくないと判断した場合（Ｓ１４がＮｏ）、即ち、Ｖｔｕｎｅが基準値bより大きい（Ｖｔｕｎｅ＞ｂ）と判断した場合は、制御回路１２は、Ｓ６又はＳ７で設定したＶＣＯ選択信号により選択される発振信号を出力するＶＣＯ２２−ｎの発振周波数帯域よりも一段高い発振周波数帯域のＶＣＯ２２−（ｎ＋１）から出力される発振信号が選択されるようにＳ６又はＳ７で設定したＶＣＯ選択信号を再設定する（Ｓ１６）。
【００４１】
次に、制御回路１２は、Ｓ１５又はＳ１６で再設定したＶＣＯ選択信号に切り替える旨の指示をインターフェイス回路１３を介してＶＣＯ選択回路１５に出し（Ｓ１７）、所定時間待った後（Ｓ１８）、インターフェイス回路１３を介して比較器２３からＶＣＯ選択回路１５に出力されるＶｔｕｎｅを読み取る（Ｓ１９）。
【００４２】
次に、制御回路１２は、Ｓ１９で読み取ったＶｔｕｎｅがＶＣＯ選択判定用の所定範囲に入るか否かを判断する（Ｓ２０）。
ＶｔｕｎｅがＶＣＯ選択判定用の所定範囲に入らないと判断した場合（Ｓ２０がＮｏ）、制御回路１２は、Ｓ１４に戻る。
【００４３】
一方、ＶｔｕｎｅがＶＣＯ選択判定用の所定範囲に入ると判断した場合（Ｓ２０がＹｅｓ）、制御回路１２は、Ｓ１３に進んだ後、終了する。
このように、本実施形態のＰＬＬ回路１１では、ＶｔｕｎｅがＶＣＯ切り替え判定用の所定範囲に入らなくなり発振信号の周波数のロックが外れそうになることを判断すると、ロックが外れないように（すなわち、ＶｔｕｎｅがＶＣＯ選択判定用の所定範囲に入るように）、ＶＣＯ選択信号を切り替える。そのため、発振信号の周波数がアンロック状態になる時間をＶＣＯの切り替え時のみの短い時間にすることができる。
【００４４】
なお、上記実施形態では、発振信号の周波数のロックが外れそうになると、ロックが外れないように制御回路１２がインターフェイス回路１３を介してＶＣＯ選択回路１５に切替指示を出しＶＣＯ選択信号を切り替える構成であるが、発振信号の周波数のロックが外れそうになると、制御回路１２からインターフェイス回路１３を介してＶＣＯ選択回路１５に再度動作するように指示を出すように構成してもよい。
【００４５】
図５は、このように構成される場合の制御回路１２の動作を説明するためのフローチャートである。
まず、制御回路１２は、インターフェイス回路１３を介して比較器２３からＶＣＯ選択回路１５に出力されるＶｔｕｎｅを読み取る（ＳＴ１）。
【００４６】
次に、制御回路１２は、ＳＴ１で読み取ったＶｔｕｎｅがＶＣＯ切り替え判定用の所定範囲に入るか（基準値Ａ≦Ｖｔｕｎｅ≦基準値Ｂ）否かを判断する（ＳＴ２）。
制御電圧ＶｔｕｎｅがＶＣＯ切り替え判定用の所定範囲に入ると判断した場合（ＳＴ２がＹｅｓ）、制御回路１２は、一定時間待った後（ＳＴ３）、ＳＴ１に戻る。
【００４７】
一方、ＶｔｕｎｅがＶＣＯ切り替え判定用の所定範囲に入らないと判断した場合（ＳＴ２がＮｏ）、制御回路１２は、インターフェイス回路１３を介してＶＣＯ選択回路１５に再度動作するように指示を出し（ＳＴ４）、終了する。
【００４８】
このように構成しても、発振信号の周波数のロックが外れそうになると、ロックが外れないように、ＶＣＯ選択信号を切り替えることができるため、発振信号の周波数がアンロック状態になる時間をＶＣＯの切り替え時のみの短い時間にすることができる。
【００４９】
また、上記実施形態では、インターフェイス回路１３を介して制御回路１２とプログラマブル分周器１４又はＶＣＯ選択回路１５とでデータのやり取りが行われる構成であるが、インターフェイス回路１３を介して行っていた制御回路１２でのＶＣＯ切替え動作を高周波ＩＣ側で構成してもよい。
【図面の簡単な説明】
【００５０】
【図１】本発明の実施形態のＰＬＬ回路を示す図である。
【図２】複数のＶＣＯそれぞれのＶｔｕｎｅ−発振周波数の特性の一例を示す図である。
【図３】制御回路の動作を説明するためのフローチャートである。
【図４】（ａ）は、発振周波数帯域が一段低いＶＣＯに切り替えたときの様子を示す図である。（ｂ）は、発振周波数帯域が一段高いＶＣＯに切り替えたときの様子を示す図である。
【図５】制御回路の他の動作を説明するためのフローチャートである。
【符号の説明】
【００５１】
１１  ＰＬＬ回路
１２  制御回路
１３  インターフェイス回路
１４  プログラマブル分周器
１５  ＶＣＯ選択回路
１６  ＶＣＯ出力回路
１７  位相比較器
１８  基準クロック分周器
１９  基準クロック発生器
２０  チャージポンプ
２１  ループフィルタ
２２−１〜２２−８  ＶＣＯ
２３  比較器
２４  基準電圧回路
【図１】
2009232072.tif 000003
【図５】
2009232072.tif 000004
【図２】
2009232072.tif 000005
【図３】
2009232072.tif 000006
【図４】
2009232072.tif 000007